(57)【特許請求の範囲】
【請求項１】
上方が開口した本体（２２０）と、
前記本体に回動可能に取り付けられており、持ち運び時に使用される取っ手（２５０）と、
を備え、
前記本体には、その前方に、ドレン水を排出する排水部が設けられ、
前記取っ手は、
前記本体内に前記ドレン水が貯められた状態で前記本体を吊り下げたときに前記本体の後方が前方よりも下方に傾く位置に回動支点があり、
前記本体が持ち運ばれる際にユーザに把持される把持部（２５１）と、前記回動支点側から前記把持部側に向かって延びるアーム部（２５２）と、を有し、
前記本体の後方が下方に傾くのを抑制するように回動を規制する規制部（２５３）を含み、
前記規制部によって回動が規制された状態で、前記アーム部は前記回動支点を通る鉛直線に対して斜め後方に延びている、
除湿機（１００）のドレンタンク（２４０）。
【請求項２】
前記規制部は、前記アーム部に位置しており、前記本体に押し当たることで前記取っ手の回動を規制する、
請求項１に記載の除湿機のドレンタンク。
【請求項３】
前記把持部は、前記アーム部の延びる方向と同じ方向に延びる面（２５１ａ）を含む、
請求項１又は２に記載の除湿機のドレンタンク。
【請求項４】
前記本体は、平面視において前方に向かって先細りした形状を呈する、
請求項１から３のいずれか１項に記載の除湿機のドレンタンク。
【請求項５】
前記規制部は、前記取っ手の一方向の回動を規制する、
請求項１から４のいずれか１項に記載の除湿機のドレンタンク。
【請求項６】
前記開口を覆うことが可能な蓋（２３０）、
を更に備え、
前記規制部は、前記蓋を介して前記本体に押し当たることで前記取っ手の回動を規制する、
請求項１から５のいずれか１項に記載の除湿機のドレンタンク。
【発明の詳細な説明】
【技術分野】
【０００１】
本発明は、除湿機のドレンタンクに関する。
【背景技術】
【０００２】
従来より、除湿機のドレンタンクには、例えば、特許文献１（特開２００７−２３７１２１号公報）に開示されているように、ユーザが本体内に貯められたドレン水を捨てる際にドレンタンクを持ち運び易くするための取っ手を備えているものがある。
【発明の概要】
【発明が解決しようとする課題】
【０００３】
ところで、取っ手が本体に回動可能に取り付けられている場合、取っ手が持ち上げられてドレン水の貯まった本体が吊り下げられた状態となったときにドレン水が本体内で回動軸に交差する方向に移動すると、ドレン水の移動に伴って本体の重心も移動する。このとき、本体の姿勢が重心の移動した方向に傾くことで、本体内に貯まっているドレン水が本体からこぼれてしまうおそれがある。
【０００４】
そこで、本発明の課題は、ドレン水の貯まった本体を、本体に回動可能に取り付けられた取っ手を用いて持ち運ぶ際に、本体からドレン水がこぼれるおそれを低減することができる除湿機のドレンタンクを提供することにある。
【課題を解決するための手段】
【０００５】
本発明の第１観点に係る除湿機のドレンタンクは、本体と、取っ手とを備える。本体は、その上方が開口している。本体には、その前方に、ドレン水を排出する排水部が設けられている。取っ手は、本体に回動可能に取り付けられている。また、取っ手は、ドレンタンクの持ち運び時に使用される。さらに、取っ手は、本体内にドレン水が貯められた状態で本体を吊り下げたときに本体の後方が前方よりも下方に傾く位置に回動支点があり、本体の後方が下方に傾くのを抑制するように回動を規制する規制部を含む。
【０００６】
ここで、取っ手が本体に回動可能に取り付けられている場合、取っ手が持ち上げられてドレン水の貯まった本体が吊り下げられた状態となったときにドレン水が本体内で回動軸に交差する方向に移動すると、ドレン水の移動に伴って本体の重心も移動し、本体は重心の移動した方向に傾くことになる。
【０００７】
そこで、本発明の第１観点に係る除湿機のドレンタンクでは、取っ手の回動支点を本体内にドレン水が貯められたときに本体の後方が前方よりも下方に傾く位置に配置して本体の重心が後方に移動しやすくする一方で、規制部により本体の重心が移動しやすい方向への取っ手の回動を規制することで本体の重心の移動を抑制し、本体の姿勢が過剰に傾くことを防止している。
【０００８】
これによって、ドレン水の貯まった本体を、本体に回動可能に取り付けられた取っ手を用いて持ち運ぶ際に、本体からドレン水がこぼれるおそれを低減することができる。
【０００９】
また、本発明の第１観点に係る除湿機のドレンタンクでは、取っ手は、把持部と、アーム部とを有する。把持部は、本体が持ち運ばれる際にユーザに把持される。アーム部は、回動支点側から把持部側に向かって延びている。そして、規制部によって回動が規制された状態で、アーム部は回動支点を通る鉛直線に対して斜め後方に延びている。
【００１０】
この除湿機のドレンタンクでは、規制部によって回動が規制された状態すなわち取っ手の把持部が把持されてドレン水の貯められた本体が吊り下げられた状態でアーム部が回動支点を通る鉛直線に対して本体の重心が移動しやすい方向である後方に延びているため、把持部を真上に持ち上げることで規制部によって規制された回動支点においてモーメントが発生し、そのモーメントが本体の姿勢の過剰な傾きに抗することになる。これにより、アーム部が回動支点を通る鉛直線に平行に延びているよりも、把持部を持つ手に過大なモーメントをかける必要がないため、ドレンタンクを持ち運び易くすることができる。
【００１１】
本発明の第２観点に係る除湿機のドレンタンクは、第１観点の除湿機のドレンタンクにおいて、規制部は、アーム部に位置しており、本体に押し当たることで取っ手の回動を規制する。この除湿機のドレンタンクでは、規制部が本体に押し当たるという簡易な構成により、取っ手の回動を規制することができる。
【００１２】
本発明の第３観点に係る除湿機のドレンタンクは、第１観点又は第２観点の除湿機のドレンタンクにおいて、把持部は、アーム部の延びる方向と同じ方向に延びる面を含む。このため、この除湿機のドレンタンクでは、前記面に手のひらを沿わせるように把持部を把持することで、手のひらでモーメントを受けることができるため、把持部を保持し易くすることができる。
【００１３】
本発明の第４観点に係る除湿機のドレンタンクは、第１観点から第３観点のいずれかの除湿機のドレンタンクにおいて、本体は、平面視において前方に向かって先細りした形状を呈する。この除湿機のドレンタンクでは、本体の形状が平面視において前方に向かって先細りした形状すなわち重心が移動しやすい形状である一方で、本体の重心の移動が抑制される構造であるため、本体からドレン水がこぼれるおそれを低減することができる。
【００１４】
本発明の第５観点に係る除湿機のドレンタンクは、第１観点から第４観点のいずれかの除湿機のドレンタンクにおいて、規制部は、取っ手の一方向の回動を規制する。このため、この除湿機のドレンタンクでは、ドレンタンクの持ち運び時のみ取っ手が回動しないように規制するような構成と比較して、規制部の構成を簡易にすることができる。
【００１５】
本発明の第６観点に係る除湿機のドレンタンクは、第１観点から第５観点のいずれかの除湿機のドレンタンクにおいて、開口を覆うことが可能な蓋を備えている。また、規制部は、蓋を介して本体に押し当たることで取っ手の回動を規制する。この除湿機のドレンタンクでは、本体の開口が蓋に覆われるため、ドレン水の貯まった本体を持ち運ぶ際にドレン水が本体からこぼれるおそれを低減することができる。
【発明の効果】
【００１６】
本発明の第１観点に係る除湿機のドレンタンクでは、ドレン水の貯まった本体を、本体に回動可能に取り付けられた取っ手を用いて持ち運ぶ際に、本体からドレン水がこぼれるおそれを低減することができる。
【００１７】
また、本発明の第１観点に係る除湿機のドレンタンクでは、ドレンタンクを持ち運び易くすることができる。
【００１８】
本発明の第２観点に係る除湿機のドレンタンクでは、簡易な構成により、取っ手の回動を規制することができる。
【００１９】
本発明の第３観点に係る除湿機のドレンタンクでは、把持部を保持し易くすることができる。
【００２０】
本発明の第４観点に係る除湿機のドレンタンクでは、本体の重心が移動しやすい形状であっても、本体からドレン水がこぼれるおそれを低減することができる。
【００２１】
本発明の第５観点に係る除湿機のドレンタンクでは、規制部の構成を簡易にすることができる。
【００２２】
本発明の第６観点に係る除湿機のドレンタンクでは、ドレン水の貯まった本体を持ち運ぶ際にドレン水が本体からこぼれるおそれを低減することができる。
【図面の簡単な説明】
【００２３】
【図１】本発明の一実施形態に係る除加湿空気清浄機の正面斜視図。
【図２】図１のII-II線断面図。
【図３】本発明の一実施形態に係る除加湿空気清浄機の分解図。
【図４】前面パネル、放電ユニット、フィルタユニット及び前フレームを取り外した状態における除加湿空気清浄機の正面図。
【図５】本発明の一実施形態に係る除加湿空気清浄機の運転時における空気の流れを表した概念図。
【図６】除湿ユニットの概略構成図。
【図７】ドレンタンクの斜視図。
【図８】ドレンタンクの側面図。
【図９】ドレンタンクが本体ケーシングに収納された状態を示す図（除加湿空気清浄機において、ドレンタンク、底面部及び圧縮機以外の構成は省略）。
【図１０】取っ手の構成を説明するための図。
【図１１】ドレンタンクにおいて規制部周辺の部分拡大図。
【図１２】ドレンタンクを持ち運ぶ様子を説明するための図。
【図１３】ドレン水の移動を説明するための図。
【図１４】ドレン水の移動を説明するための図。
【発明を実施するための形態】
【００２４】
以下、図面を参照しながら、本発明の一実施形態について説明する。なお、以下の実施形態は、本発明の具体例であって、本発明の技術的範囲を限定するものではなく、発明の要旨を逸脱しない範囲で適宜変更が可能である。また、以下の説明において、上、下、左、右、正面（前）、背面（後）といった方向を示す語句を用いているが、これらの方向は、特にことわりのない限り、図１に示す方向を意味する。
【００２５】
（１）除加湿空気清浄機１００
（１−１）概要
図１は、本発明の一実施形態に係る除加湿空気清浄機（以下、除加湿空清機と記載）１００の正面斜視図である。除加湿空清機１００は、床置きタイプで、室内の床などに設置される。
【００２６】
除加湿空清機１００は、空気清浄モード、除湿モード、加湿モードなどの複数の運転モードを備えており、ユーザからの指示に応じてこれらのモードが個別に又は組み合わせて選択される。例えば、除加湿空清機１００は、空気清浄モードが選択されると、室内空間の空気を取り込み、塵埃などを除去して室内空間に排出する空気清浄運転を行う。また、除加湿空清機１００は、除湿モードが選択されると、室内空間の空気を取込んで除湿して室内空間に排出する除湿運転を行う。また、除加湿空清機１００は、加湿モードが選択されると、室内空間の空気を取込んで加湿して室内空間に排出する加湿運転を行う。なお、除湿モード及び加湿モードでは、除湿運転及び加湿運転と組み合わせて空気清浄運転が行われる。
【００２７】
（２）除加湿空清機１００の詳細構成
以下、図１から図１２を参照して除加湿空清機１００の詳細について説明する。図２は、図１のII-II線断面図である。図３は、除加湿空清機１００の分解図である。図４は、前面パネル１６、放電ユニット２０、フィルタユニット３０及び前フレーム４１を取り外した状態における除加湿空清機１００の正面図である。図５は、除加湿空清機１００の運転時における空気の流れを表した概念図である。
【００２８】
（２−１）本体ケーシング１０
除加湿空清機１００の外郭は、略直方体状の本体ケーシング１０によって構成されている。本体ケーシング１０は、主として、底面部１１、背面部１２、左側壁部１３、前面パネル１６及び天井部１５を含むケーシング部材によって構成されている。
【００２９】
底面部１１は、平面視において左右方向に長い略長方形状を呈しており、除加湿空清機１００の底面部分を構成している。
【００３０】
背面部１２は、除加湿空清機１００の背面部分及び右側面部分を構成している。背面部１２の下端部は平面視において略Ｌ字状を呈しており、下端部分が底面部１１に固定される。
【００３１】
左側壁部１３は、除加湿空清機１００の左側面部分を構成している。左側壁部１３には、水タンク用開口１３ａと、ドレンタンク用開口１３ｂとが形成されている。本体ケーシング１０内には、水タンク用開口１３ａ及びドレンタンク用開口１３ｂから右側（内側）に向かって、水タンク７３及びドレンタンク２４０を収納するための空間が形成されている。なお、除加湿空清機１００の運転時には、水タンク用開口１３ａ及びドレンタンク用開口１３ｂは、本体ケーシング１０内に水タンク７３及びドレンタンク２４０が収納されることで閉じられている（図１参照）。
【００３２】
天井部１５は、除加湿空清機１００の天井部分を構成しており、背面部１２及び左側壁部１３に固定される。天井部１５の前部は、正面方向に下り勾配がつけられるように傾斜して配設されている。また、天井部１５の前部には、ユーザが指示を入力する操作パネル１５ａが配設されている。ユーザは操作パネル１５ａに設けられた入力キー等を押下することにより、除加湿空清機１００の運転状態（運転開始、運転停止、運転モード及び風量モードなど）を切り換えることができる。
【００３３】
また、本体ケーシング１０の天井部分には、本体ケーシング１０内から室内に清浄化した空気を吹き出すための吹出口１０３が形成されている。吹出口１０３は、天井部１５の後部と背面部１２の上部との間に位置している。吹出口１０３は、除加湿空清機１００が運転停止状態にある時には、吹出口羽根１５１によって覆われて閉状態となっている。また、吹出口１０３は、除加湿空清機１００が運転状態にある時には、吹出口羽根１５１が駆動することで露出して開状態となっている。
【００３４】
前面パネル１６は、除加湿空清機１００の正面部分を構成している。前面パネル１６は、底面部１１及び天井部１５に固定されており、正面方向に引っ張ることにより取り外しが可能である。
【００３５】
また、本体ケーシング１０の側面部分には、室内の空気を内部に取り込むための側方吸込口１０２が形成されている。側方吸込口１０２は、右側方吸込口１０２ｂと左側方吸込口１０２ａとを含む。右側方吸込口１０２ｂは、前面パネル１６の右側部と背面部１２との間に位置している。左側方吸込口１０２ａは、前面パネル１６の左側部と左側壁部１３との間に位置している。右側方吸込口１０２ｂ及び左側方吸込口１０２ａは、本体ケーシング１０の上下方向に延びるように形成されている。
【００３６】
以上のように構成される本体ケーシング１０の内部には、放電ユニット２０、フィルタユニット３０、フレーム４０、シロッコファン５０、除湿ユニット６０、加湿ユニット７０及びストリーマ放電ユニット８０等が収納されている。なお、本実施形態の本体ケーシング１０は、底面部１１、背面部１２、左側壁部１３、天井部１５及び前面パネル１６などから構成されているが、これらが一体に成形されて構成されていてもよい。
【００３７】
（２−２）放電ユニット２０
放電ユニット２０は、左側放電ユニット２０ａと、右側放電ユニット２０ｂとを含む。左側放電ユニット２０ａ及び右側放電ユニット２０ｂは、縦長の筒状の形状を呈している。左側放電ユニット２０ａは、左側方吸込口１０２ａの近傍に配置される。右側放電ユニット２０ｂは、右側方吸込口１０２ｂの近傍に配置される。このため、左側方吸込口１０２ａから取り込まれた空気は左側放電ユニット２０ａを通過し、右側方吸込口１０２ｂから取り込まれた空気は右側放電ユニット２０ｂを通過する。
【００３８】
左側放電ユニット２０ａ及び右側放電ユニット２０ｂは、正極であるタングステン製のイオン化線と、負極であるステンレス金属製の板状の電極とを有する。正極であるイオン化線に高電圧を印加すると、正極と負極電極間に電位差が生じコロナ放電が生じる。この放電によって、左側放電ユニット２０ａ及び右側放電ユニット２０ｂを通過する空気中の塵埃が帯電する。
【００３９】
（２−３）フィルタユニット３０
フィルタユニット３０は、側方吸込口１０２から本体ケーシング１０内に取り込まれた空気流ＡＦが通過するように、本体ケーシング１０内に配設されている。フィルタユニット３０は、図５に示されるように、プレフィルタ３１と、静電集塵フィルタ３２と、脱臭フィルタ３３とから構成されている。
【００４０】
本体ケーシング１０内に流入した空気流ＡＦは、まずプレフィルタ３１を通過することで、空気中から大きな塵埃が取り除かれる。
【００４１】
次に、プレフィルタ３１よりも集塵性能が高い静電集塵フィルタ３２によって、放電ユニット２０を通過して帯電した微細な塵埃や菌などが取り除かれる。なお、除加湿空清機１００が運転状態にある場合、静電集塵フィルタ３２は、放電ユニット２０を通過する塵埃とは反対の極性に帯電する。例えば、放電ユニット２０を通過する塵埃などがプラスの電荷に帯電する場合には、静電集塵フィルタ３２はマイナスの電荷に帯電する。これにより、放電ユニット２０を通過した空気流ＡＦに含まれる微細な塵埃や菌などは、静電集塵フィルタ３２に吸着されるようになっている。
【００４２】
そして、静電集塵フィルタ３２を通過した空気は、活性炭などから構成される脱臭フィルタ３３によってホルムアルデヒドや臭い成分などが分解／吸着される。
【００４３】
（２−４）フレーム４０
フレーム４０は、例えば合成樹脂製であって、前フレーム４１、中央フレーム４２及び後フレーム４３を含む。
【００４４】
前フレーム４１の正面部分には、フィルタユニット３０が固定される。また、前フレーム４１の左右両端部には、上下方向に沿って鉛直風通路部材４１０が配設されている。鉛直風通路部材４１０には、複数の放出口４１ａが上下方向に並ぶように形成されている。さらに、前フレーム４１の上部には、ストリーマ放電ユニット８０が固定される。
【００４５】
中央フレーム４２は前フレーム４１の背面側に配置される。また、中央フレーム４２の正面側には、後述する除湿ユニット６０の凝縮器６３及び蒸発器６１が配置される。また、中央フレーム４２の背面側には、加湿ユニット７０が配置される。さらに、中央フレーム４２の下側には、ドレンタンク２４０が配置されている。
【００４６】
後フレーム４３は、中央フレーム４２の背面側に配置されている。また、中央フレーム４２と後フレーム４３との間には、加湿ユニット７０が配置されている。さらに、後フレーム４３の上部には、除加湿空清機１００の駆動を制御する電装品箱９０が固定されている。後フレーム４３の中央部分には、ベルマウス形状のファンベルマウス４３１が配設されている。そして、後フレーム４３の背面側にはシロッコファン５０が配置されており、ファンベルマウス４３１を介して空気流ＡＦがシロッコファン５０に流入する。
【００４７】
（２−５）ストリーマ放電ユニット８０
ストリーマ放電ユニット８０は、正極であるタングステン製の針状の電極と、該電極に対向する板状の電極（対向電極）と、を有する。針状電極に高電圧を印加するとプラズマ放電の一種であるストリーマ放電が発生する。このストリーマ放電発生の際に酸化分解力の高い活性種が生成される。該活性種は、ストリーマ放電ユニット８０を通過する空気と共に鉛直風通路部材４１０に流入する。そして鉛直風通路部材４１０に流入した空気及び活性種は、放出口４１ａから放出され、空気流ＡＦと合流してフィルタユニット３０を通過する。この際、活性種は、静電集塵フィルタ３２に吸着された塵埃や細菌などを分解して浄化する。
【００４８】
（２−６）シロッコファン５０
シロッコファン５０は、本体ケーシング１０内に流入し本体ケーシング１０外へ流出する空気流ＡＦを生成する。シロッコファン５０は、主として、ファンロータ５１と、ファンロータ５１を収容するスクロールケーシング５２とを含む。
【００４９】
ファンロータ５１は、ファンロータ５１の背面側に配設されたファンモータＭ５０の回転軸と接続されており、ファンモータＭ５０が駆動することにより回転する。ファンモータＭ５０が駆動すると、ファンロータ５１は、空気を回転軸が延びる方向から吸い込み、径方向へと吹き出す。ファンモータＭ５０は、その回転速度を段階的に切り換えることができ、ファンモータＭ５０の回転速度に応じて除加湿空清機１００の風量が段階的に設定されている。
【００５０】
スクロールケーシング５２は、ファンロータ５１が収容されるスクロール湾曲部を有する合成樹脂製のケーシング部材である。スクロールケーシング５２は、後フレーム４３の背面部分に固定されている。スクロールケーシング５２は前方に開口しており、該開口がシロッコファン５０の吸入口５０ａとして機能する。また、スクロールケーシング５２の上部には開口が形成されており、該開口がシロッコファン５０の排出口５０ｂとして機能する。排出口５０ｂは、吹出口１０３と接続されており、吹出口１０３が露出すると排出口５０ｂも露出するようになっている。
【００５１】
このような構成により、図５に示すように、シロッコファン５０が駆動すると、除加湿空清機１００内に流入して除加湿空清機１００外に流出する空気の流れである空気流ＡＦが生成される。空気流ＡＦが生成されると、室内の空気が、側方吸込口１０２を介して除加湿空清機１００内に取り込まれる。除加湿空清機１００内に取り込まれた室内の空気は、放電ユニット２０及びフィルタユニット３０を通過して塵埃や臭い成分などが取り除かれる。そして、放電ユニット２０及びフィルタユニット３０を通過した空気流ＡＦは、除湿ユニット６０及び加湿ユニット７０を通過し、除加湿空清機１００が除湿モードにある場合には除湿され、除加湿空清機１００が加湿モードにある場合には加湿される。その後、吹出口１０３を介して除加湿空清機１００外へ吹き出されて室内へ戻される。
【００５２】
なお、空気流ＡＦの一部は、除加湿空清機１００外へ吹き出されずに支流ＢＦとしてストリーマ放電ユニット８０を通過する。ストリーマ放電ユニット８０を通過した支流ＢＦは、活性種を含んで鉛直風通路部材４１０に流入し、放出口４１ａを介してフィルタユニット３０を通過する空気流ＡＦに合流することになる。
【００５３】
（２−７）除湿ユニット６０
以下、図１から図１２を参照して除湿ユニット６０について説明する。図６は、除湿ユニット６０の概略構成図である。図７は、ドレンタンク２４０の斜視図である。図８は、持ち運ばれている状態のドレンタンク２４０を側面側から見た図である。図９は、ドレンタンク２４０が本体ケーシング１０内に収納された状態を説明するための図である。図１０は、ドレンタンク２４０の重心の偏りによって取っ手２５０の回動支点に生じるモーメントを説明するための図である。図１１は、取っ手２５０の規制部２５３，２５３周辺を示す図である。図１２は、ユーザが取っ手２５０の把持部２５１を把持する様子を示す図である。なお、図１０では、ドレンタンク２４０の重心の偏りによって取っ手２５０の回動支点に生じるモーメントを矢印で示している。
【００５４】
除湿ユニット６０は、除加湿空清機１００が除湿運転時に駆動され、空気流ＡＦの除湿を行う。除湿ユニット６０は、主として、圧縮機６２、蒸発器６１、凝縮器６３、キャピラリーチューブ６４を有する冷媒回路６６と、ドレンタンク２４０と、を備えている。なお、冷媒としては、例えば、Ｒ１３４ａ、ＣＯ2などの様々な冷媒が採用される。
【００５５】
（２−７−１）冷媒回路６６
冷媒回路６６は、圧縮機６２、凝縮器６３、キャピラリーチューブ６４、蒸発器６１が銅製の冷媒配管６５によって接続されて構成されている。
【００５６】
圧縮機６２は、例えばロータリ式やスクロール式の密閉型圧縮機である。圧縮機６２は、流入するガス冷媒を圧縮する。圧縮機６２は、アキュームレータ６２ａを備えており、液冷媒の流入が抑制されている。圧縮機６２が駆動されると、除湿ユニット６０の冷媒回路６６内を冷媒が循環する。圧縮機６２は、内蔵される圧縮機モータＭ６２が駆動することにより運転状態となる。
【００５７】
蒸発器６１は、例えばクロスフィン型式の熱交換器であって、前フレーム４１の背面側に位置するように配設される。すなわち、蒸発器６１は、フィルタユニット３０の下流側に位置する。蒸発器６１は、空気流ＡＦ中の空気と熱交換することにより、蒸発器６１内を流通する液冷媒を蒸発させ、空気流ＡＦ中の空気を露点温度以下に冷却して除湿する。なお、空気流ＡＦが蒸発器６１を通過する際に結露したドレン水は、ドレンタンク２４０に導かれて貯水される。
【００５８】
凝縮器６３は、例えばクロスフィン型式の熱交換器であって、蒸発器６１の背面側に近接して配設される。凝縮器６３は、空気流ＡＦ中の空気と熱交換することにより、凝縮器６３内を流通するガス冷媒を凝縮させ、空気流ＡＦ中の空気を加熱する。
【００５９】
キャピラリーチューブ６４は、蒸発器６１に流入する液冷媒を膨張させる膨張手段である。すなわち、キャピラリーチューブ６４は、凝縮器６３から流出する高圧の液冷媒を、通過させることで膨張させて減圧する。
【００６０】
このように構成された冷媒回路６６では、圧縮機６２が駆動することで冷媒が冷媒回路６６内を循環し、蒸発器６１が本体ケーシング１０内に流入する室内の空気の除湿を行う。
【００６１】
（２−７−２）ドレンタンク２４０
ドレンタンク２４０は、蒸発器６１で発生したドレン水を貯めるために用いられるものであって、図７及び図８に示すように、容器本体２２０と、蓋２３０と、取っ手２５０とを備えている。
【００６２】
なお、以下に記載するドレンタンク２４０の説明においては、ユーザが取っ手２５０を持って容器本体２２０を吊り下げた状態でユーザの手前側（図１においては左側）を「後」とし、その反対側（図１においては右側）を「前」とする（図７及び図８参照）。
【００６３】
（２−７−２−１）容器本体２２０
容器本体２２０は、上方が開口した箱状の本体部２２１と、化粧パネル２２２と、を有している。本体部２２１は、上方から流れてくるドレン水を貯留することができるように上方を広く開口しており、本実施形態では平面視において外側に向かって膨出した膨出部２２１ｂを有している。すなわち、本実施形態の本体部２２１は、平面視において前方に向かって先細りした形状を呈している。膨出部２２１ｂは、平面視において、角形部２２１ａの化粧パネル２２２側とは反対側にある辺の端部から長方形状に延びている。なお、本体部２２１の形状はこれに限定されるものではなく、例えば、角形部２２１ａ及び／又は膨出部２２１ｂの形状が、三角形、正方形、五角形等の多角形状であってもよく、或いは球形であってもよい。すなわち、本体部２２１の形状は、上方から流れてくるドレン水を貯留できるように上方が開口した形状であればどのような形状でもよく、本体ケーシング１０内に形成される空間の形状に応じて変更されてもよい。また、本実施形態では、膨出部２２１ｂは、本体部２２１内に貯まったドレン水を排出するための排水部として機能する。
【００６４】
化粧パネル２２２は、角形部２２１ａの一側面部２２５ｃの外側に固定されており、ドレンタンク２４０が本体ケーシング１０内に収納された状態で本体ケーシング１０の左側壁部１３と化粧パネル２２２の外面上部とが面一となるように形成されている（図１参照）。化粧パネル２２２には、内側に向かって窪んだ窪み部２２２ａが設けられており、ユーザが窪み部２２２ａに指を入れて後側（図１においては左側）に引くことによって、本体ケーシング１０内からドレンタンク２４０が引き出される。
【００６５】
また、容器本体２２０には、本体部２２１内の水量（水面高さ）を検知するための検知センサ（図示せず）が設けられている。検知センサは、例えばフロートスイッチ等で構成されており、本体部２２１内のドレン水の水面高さが所定高さ以上になると電装品箱９０に収納されている制御部（図示せず）に所定の信号を送信する。制御部は、検知センサから該信号を受信すると、それ以上ドレン水が発生しないように除湿運転を停止して空気清浄運転のみを継続させるとともに、操作パネル１５ａに設けられている報知部を点灯させてドレンタンク２４０が満水状態でありドレン水を捨てる必要がある旨をユーザに対して報知する。なお、該信号が送信される時の水面高さは、検知センサから該信号が送信された後に除湿運転が停止されても本体部２２１内からドレン水が溢れない位置に設計されており、本実施形態では、本体部２２１内に貯まったドレン水の水面高さが本体部２２１の上端周縁部２２３よりも下側の位置に設定されている。
【００６６】
（２−７−２−２）蓋２３０
蓋２３０は、樹脂（例えばＡＢＳ樹脂等）製であって、容器本体２２０の開口を覆うことができるように構成されている。また、蓋２３０には排水導入口２３０ａが形成されており、ドレンパン１８０から流れてきたドレン水が蓋２３０の排水導入口２３０ａから容器本体２２０内へと流れる。
【００６７】
また、蓋２３０は、嵌合部２３１と、変形部２３２とを有する。嵌合部２３１は、蓋２３０が容器本体２２０の開口を閉じるときに本体部２２１の上端周縁部２２３に嵌ることが可能なように構成されている。また、変形部２３２は、蓋２３０の１つの端部全体が下方に湾曲して成っており、上端周縁部２２３の一部に押し当たることで弾性変形するように構成されている。そして、変形部２３２が上端周縁部２２３のうち化粧パネル２２２近傍の縁部２２３ａの内面に押し当たって弾性変形し嵌合部２３１が上端周縁部２２３のうち縁部２２３ａ以外の縁部に嵌ることで、蓋２３０が容器本体２２０に固定されるとともに、蓋２３０によって開口が塞がれることになる。なお、本実施形態では、蓋２３０が樹脂製であることで、変形部２３２の変形に樹脂の弾性を利用することができる。また、本実施形態では蓋２３０は樹脂製であるが、変形部２３２が変形可能であれば蓋２３０の材質は樹脂に限定されない。
【００６８】
さらに、蓋２３０は、開閉部２３４を有する。開閉部２３４は、図７に示すように、蓋２３０において、蓋２３０が容器本体２２０の開口を閉じた状態で膨出部２２１ｂに対応する位置にある部分である。開閉部２３４は、本体部２２１内に貯まったドレン水を排出するための排水部として機能する。また、開閉部２３４は、ヒンジとして機能する折曲げ部２３５を含む。本実施形態の折曲げ部２３５は、蓋２３０を部分的に薄肉に形成して構成されている。そして、折曲げ部２３５を中心として開閉部２３４の先端部を上方に折曲げることで、容器本体２２０の開口の一部が開放されるため、この開口の一部からドレン水を排出することができる。また、本実施形態では、開閉部２３４にヒンジとして機能する折曲げ部２３５が設けられていることで、蓋２３０の開閉がし易くなっており、ドレンタンク２４０からドレン水を容易に排水することができる。
【００６９】
なお、折曲げ部２３５は開閉部２３４の長手方向に直交する方向に開閉部２３４の全長にわたって延在している。また、本実施形態では、折曲げ部２３５の剛性は、その周囲よりも小さくなるように構成されている。さらに、本実施形態では、嵌合部２３１は折曲げ部２３５で分断されている。なお、本実施形態の嵌合部２３１は折曲げ部２３５で分断されている構造であるが、折曲げ部２３５を中心に開閉部２３４の先端部を上方に折曲げることができれば、嵌合部２３１の一部だけが切り欠かれている構造であってもよい。また、本実施形態では、蓋２３０が嵌合部２３１を有しているが、これに限定されず、蓋２３０が嵌合部２３１を有していなくてもよい。
【００７０】
（２−７−２−３）取っ手２５０
取っ手２５０は、ドレンタンク２４０を持ち運ぶ時に使用される起倒自在な部材であって、把持部２５１と、アーム部２５２，２５２とを備える。
【００７１】
把持部２５１は、ドレンタンク２４０を持ち運ぶ時にユーザによって把持される部分であって、例えば板状の部材である。アーム部２５２，２５２は、本体部２２１の側面部２２５ａ，２２５ｂに回動可能に取り付けられた一対の部材である。より詳しくは、アーム部２５２，２５２は、側面部２２５ａ，２２５ｂの上端部外方近傍に設けられた回動軸２２９ａ，２２９ｂを中心に回動可能に取り付けられている。なお、各回動軸２２９ａ，２２９ｂは水平方向に延びる一直線上に並んで配置されている。また、アーム部２５２，２５２は、回動軸２２９ａ，２２９ｂ側から把持部２５１の両端部側に向かって延びており、本実施形態では把持部２５１の両端部に固定されている。このため、取っ手２５０は、回動軸２２９ａ，２２９ｂを回動支点として回動軸２２９ａ，２２９ｂ周りに回動可能に取り付けられているといえる。なお、取っ手２５０の回動支点となる回動軸２２９ａ，２２９ｂは、ドレン水の貯められた容器本体２２０が取っ手２５０を用いて吊り下げられた状態で、容器本体２２０の後方が前方よりも下方に傾く位置に配設されている。
【００７２】
また、アーム部２５２，２５２は、取っ手２５０が持ち上げられて容器本体２２０が吊り下げられた状態となったとき容器本体２２０の後方が下方に傾くのを抑制するように取っ手２５０の回動を規制する規制部２５３，２５３を含む。規制部２５３，２５３は、アーム部２５２，２５２の前部に位置しており、蓋２３０を介して本体部２２１に押し当たることで取っ手２５０の一方向（図１０の矢印方向とは反対の方向）への回動を規制する。より詳しくは、図１１に示すように、規制部２５３，２５３の規制面２５３ａ，２５３ａが蓋２３０の嵌合部２３１の外壁部２３１ａに当接することで、取っ手２５０の図１０の矢印方向とは反対の方向への回動が規制される。なお、本実施形態では、取っ手２５０が持ち上げられて容器本体２２０が吊り下げられた状態となったとき容器本体２２０内のドレン水の水面が水平になるように、取っ手２５０の回動支点及び規制部２５３，２５３の位置を設計している。また、規制部２５３，２５３は、図１０に示すように、規制部２５３，２５３によって回動が規制された状態で回動軸２２９ａ，２２９ｂを通る鉛直線に対してアーム部２５２，２５２が斜め後方に延びるように設けられている。そして、把持部２５１は、アーム部２５２，２５２の延びる方向と同じ方向に延びる面２５１ａを含む。
【００７３】
なお、取っ手２５０は、ドレンタンク２４０が本体ケーシング１０に収納されている場合には、図９に示すように、把持部２５１の自重によって取っ手２５０全体が容器本体２２０において後側（化粧パネル２２２側）に位置する状態になり、取っ手２５０は蓋２３０に対して寝た状態になる。一方、ドレンタンク２４０を持ち運ぶときには、ユーザによって把持部２５１が把持されて持ち上げられることで、規制部２５３，２５３が蓋２３０を介して本体部２２１に押し当たるまで取っ手２５０が回動軸２２９ａ，２２９ｂ周りに旋回する。これにより、アーム部２５２，２５２が蓋２３０に対して起立した状態になる。そして、この状態で取っ手２５０がさらに上方に持ち上げられることで、容器本体２２０及び蓋２３０が取っ手２５０に吊り下げられた状態となり、ドレンタンク２４０を持ち運ぶことができる。
【００７４】
（２−８）加湿ユニット７０
加湿ユニット７０は、図２から図５に示すように、蒸発器６１及び凝縮器６３の背面側（空気流ＡＦの下流側）に位置しており、加湿運転時には気化した水分を空気流ＡＦ中の空気に含ませることで加湿する。
【００７５】
加湿ユニット７０は、図３に示すように、主として、貯留部７２と、水タンク７３と、加湿ロータ７１とを備えている。
【００７６】
貯留部７２は、水タンク７３から供給される水を貯水する。水タンク７３は、貯留部７２に供給する水を貯水するためのタンクであり、本体ケーシング１０内に収納されている。また、水タンク７３の一側面部には化粧パネル７３ａが取り付けられており、水タンク７３が本体ケーシング１０内に収納された状態で化粧パネル７３ａの外面と左側壁部１３とが面一となるように形成されている（図１参照）。また、化粧パネル７３ａには指を差し込んで掴める程度の窪み部７３ａａが形成されており、窪み部７３ａａに指を差し込んで左方向に引っ張ると、本体ケーシング１０から水タンク７３を取り外せるようになっている。このように、水タンク７３を着脱可能に構成することで、容易に水タンク７３内に水を入れることができるようになっている。
【００７７】
加湿ロータ７１は、例えば気化フィルタの外周にリング状フレームが取り付けられた構造を有する。加湿運転時には、気化フィルタから水が気化することによって加湿が行われる。加湿ロータ７１は、図示しない加湿ユニットモータと接続されており、加湿ユニットモータが駆動することによって回転する。リング状フレームには柄杓部（図示省略）が設けられている。該柄杓部は、加湿ロータ７１が回転すると、貯留部７２から水をくみ上げて気化フィルタに水を供給するように構成されている。
【００７８】
（３）特徴
（３−１）
図１３及び図１４に示すように、取っ手２５０’が容器本体２２０’に回動可能に取り付けられている場合、取っ手２５０’が持ち上げられてドレン水の貯まった容器本外が吊り下げられた状態となったときに、容器本体２２０’内のドレン水が容器本体２２０’内で回動軸２２９ａ’に交差する方向（図１３及び図１４においては前後方向）に移動すると、ドレン水の移動に伴って容器本体２２０’の重心も移動し、容器本体２２０’の姿勢は重心の移動した方向が下になるように傾くことになる。
【００７９】
そこで、本実施形態のドレンタンク２４０では、容器本体２２０の重心が後方に偏りやすくなるように、取っ手２５０の回動支点となる回動軸２２９ａ，２２９ｂを、ドレン水の貯められた容器本体２２０が取っ手２５０を用いて吊り下げられた状態で、容器本体２２０の後方が前方よりも下方に傾く位置に配設し、容器本体２２０の重心が一方（後方）に偏ることを正とした。その一方で、取っ手２５０が持ち上げられて容器本体２２０が吊り下げられた状態となったときに容器本体２２０の後方が下方に傾くのを抑制するように取っ手２５０の回動を規制する規制部２５３，２５３を設け、容器本体２２０の重心が移動しやすい方向（後方）に容器本体２２０の姿勢が過剰に傾くことを抑制する構成とした。このような構成により、容器本体２２０の後方が下方に傾くのを抑制することができるため、容器本体２２０が取っ手２５０を用いて吊り下げられたときの容器本体２２０の姿勢の過剰な傾きを抑制することができる。
【００８０】
これによって、ドレン水の貯まった容器本体２２０を、容器本体２２０に回動可能に取り付けた取っ手２５０を用いて持ち運ぶ際に、容器本体２２０からドレン水がこぼれるおそれを低減することができている。
【００８１】
（３−２）
本実施形態では、規制部２５３，２５３によって回動が規制された状態で、回動軸２２９ａ，２２９ｂを通る鉛直線に対してアーム部２５２，２５２が斜め後方に延びている。すなわち、取っ手２５０の把持部２５１が把持されて容器本体２２０が吊り下げられた状態で、取っ手２５０の回動支点を通る鉛直線に対して容器本体２２０の重心が移動しやすい方向である後方にアーム部２５２，２５２が延びていることになる。このような構成により、把持部２５１を真上に（鉛直方向に）持ち上げることで、規制部２５３，２５３によって規制された回動支点において図１０に示す矢印方向とは反対の方向にモーメントが発生し、このモーメントが容器本体２２０の姿勢の過剰は傾きに抗することになる。
【００８２】
これにより、アーム部２５２，２５２が回動支点を通る鉛直線に平行に延びているよりも把持部２５１を持つ手に過大なモーメントをかける必要がなく、ドレンタンク２４０を持ち運び易くすることができている。
【００８３】
また、モーメントが発生した状態でドレンタンク２４０を持ち運ぶことができるため、ドレンタンク２４０を安定して運ぶことができる。これにより、ドレン水の水面に波が生じにくくなり、ドレンタンク２４０からドレン水がこぼれるおそれを低減することができている。
【００８４】
（３−３）
本実施形態では、規制部２５３，２５３は、アーム部２５２，２５２に位置しており、蓋２３０を介して本体部２２１に押し当たることで取っ手２５０の回動を規制している。このため、このドレンタンク２４０では、規制部２５３，２５３が蓋２３０を介して本体部２２１に押し当たるという簡易な構成により、取っ手２５０の回動を規制することができている。
【００８５】
また、本実施形態では、規制部２５３，２５３をアーム部２５２，２５２の前部に配設するという簡易な構成により、回動支点において容器本体２２０の姿勢の過剰な傾きに抗するモーメントを発生させることができている。
【００８６】
さらに、本実施形態では、取っ手２５０は側面部２２５ａ，２２５ｂの外方に設けられた回動軸２２９ａ，２２９ｂを中心に回動可能に取り付けられているため、アーム部が容器本体内に固定されるような取っ手と比較して、容器本体２２０と取っ手２５０との取り付け部分の構造を簡易にすることができ、かつ容器本体２２０のメンテナンスを容易にすることができている。
【００８７】
（３−４）
本実施形態では、把持部２５１は、アーム部２５２，２５２の延びる方向と同じ方向に延びる面２５１ａを含んでいる。このため、ドレンタンク２４０が持ち運ばれる際に、図１２に示すように把持部２５１の面２５１ａに手のひらを沿わせるように把持部２５１を把持することで、手のひらで回動支点において容器本体２２０の姿勢の過剰な傾きに抗するモーメントを受けやすくすることができる。
【００８８】
これによって、把持部２５１を保持し易くすることができている。
【００８９】
（３−５）
本実施形態では、本体部２２１が、平面視において前方に向かって先細りした形状を呈している。このため、本体部２２１内でドレン水が移動する場合、移動するドレン水の水量は、本体部２２１において後部が前部よりも多くなる。さらに、本体部２２１の側面部２２５ｃの外側には、化粧パネル２２２が固定されている。このため、ドレンタンク２４０は、容器本体２２０の重心が後方へと移動し易い傾向にある構成となっている。また、本実施形態のドレンタンク２４０において、取っ手２５０の回動支点が、ドレン水の貯められた容器本体２２０が取っ手２５０を用いて吊り下げられた状態で容器本体２２０の姿勢が過剰に傾かない位置、すなわち本体部２２１内のドレン水の水面が一時的に水平になるような位置に配設されており、かつ規制部２５３，２５３が設けられていない場合には、容器本体２２０の重心が後方へと移動して、一度でも容器本体２２０の後方が下方に傾いた姿勢になると、容器本体２２０の重心が後方へと移動し易い傾向にあることから、容器本体２２０の姿勢は前方が下方に傾いた姿勢にはなり難い。
【００９０】
このように、容器本体２２０の形状が重心の移動し易い形状であっても、取っ手２５０の回動支点を容器本体２２０の重心が一方に偏りやすくなる位置に配備し、かつこの偏りを抑制するように取っ手２５０の回動を規制する規制部２５３，２５３を設けることで、容器本体２２０からドレン水がこぼれるおそれを低減することができる。したがって、容器本体２２０の形状を、本体ケーシング１０内の限られた空間に対応させ、かつ本体部２２１の容量をできる限り増やすことのできる形状に設計することができる。このように、本実施形態のドレンタンク２４０では、容器本体２２０の設計自由度を向上させることができるため、本体ケーシング１０内の空間を有効に活用することができている。
【００９１】
また、本実施形態では膨出部２２１ｂを排水部として機能させることで、ドレン水を排出しやすくなっている。
【００９２】
（３−６）
本実施形態では、規制部２５３，２５３は、蓋２３０を介して本体部２２１に押し当たることで取っ手２５０の一方向への回動を規制する。このため、例えばドレンタンク２４０の持ち運び時のみ取っ手２５０が回動しないように規制するような構成と比較して、規制部２５３，２５３の構成を簡易にすることができている。
【００９３】
（３−７）
本実施形態のドレンタンク２４０は、容器本体２２０の開口を覆うことができる蓋２３０を備えている。このため、ドレンタンク２４０が持ち運ばれる際に開口が蓋２３０で覆われていることで、ドレン水が容器本体２２０からこぼれるおそれを低減することができている。
【００９４】
（４）変形例
（４−１）変形例Ａ
上記実施形態では、ドレンタンク２４０が蓋２３０を備えているが、ドレンタンク２４０の構成はこれに限定されず、ドレンタンク２４０が蓋２３０を備えていなくてもよい。なお、ドレンタンク２４０が蓋２３０を備えていない場合には、規制部２５３，２５３が本体部２２１に直接押し当たることで取っ手２５０の回動を規制するように構成されていてもよい。
【００９５】
（４−２）変形例Ｂ
上記実施形態では、除湿モードの他に、空気清浄モード及び加湿モードを備えた除加湿空清機の例を挙げているが、これに限定されず、少なくとも除湿モードを備えていればよい。すなわち、除湿ユニット６０を備えた除湿機であればよい。
【産業上の利用可能性】
【００９６】
本発明は、ドレン水の貯まった本体を本体に回動可能に取り付けられた取っ手を用いて持ち運ぶ際に、本体からドレン水がこぼれるおそれを低減することができるものであり、除湿機のドレンタンクへの適用が有効である。
【符号の説明】
【００９７】
１００      除加湿空気清浄機（除湿機）
２２０      容器本体（本体）
２３０      蓋
２４０      ドレンタンク
２５０      取っ手
２５１      把持部
２５１ａ    面
２５２      アーム部
２５３      規制部
【先行技術文献】
【特許文献】
【００９８】
【特許文献１】特開２００７−２３７１２１号公報
【図１】
0005850000.tif 000002
【図２】
0005850000.tif 000003
【図３】
0005850000.tif 000004
【図４】
0005850000.tif 000005
【図５】
0005850000.tif 000006
【図６】
0005850000.tif 000007
【図７】
0005850000.tif 000008
【図８】
0005850000.tif 000009
【図９】
0005850000.tif 000010
【図１０】
0005850000.tif 000011
【図１１】
0005850000.tif 000012
【図１２】
0005850000.tif 000013
【図１３】
0005850000.tif 000014
【図１４】
0005850000.tif 000015